(57)【要約】【課題】ダイスの交換作業を容易に行うことができ，かつ，ダイスの取り付けにネジを用いない穿孔装置を提供する。【解決手段】本実施形態に係る穿孔装置１のダイス胴３は、ダイス３１１ａを挿入するダイス挿入孔３０１を複数有する筒３００の両側に円板３０２を付けた形状のダイス胴本体３０に，ダイス３１１ａを有する内リンク３１１と外リンク３１０が連結しているチェーン形状のダイス部材３１を，ダイス胴本体３０のダイス挿入孔３０１にダイス部材３１のダイス３１１ａを挿入した状態で巻き付け，ダイス部材３１の端同士を継ぐためのピン３２を利用してダイス胴本体３１にダイス部材３１を留めた構造になっている。【選択図】図４
2015205377.tif 000002
【特許請求の範囲】
【請求項１】
雄型となるピンを有するピン胴と，雌型となるダイスを有するダイス胴を用いて穿孔加工を行う装置であって、前記ダイスを挿入するダイス挿入孔を複数有する筒の両側に円板を付けた形状のダイス胴本体に，前記ダイスを有する内リンクと外リンクが連結しているチェーン形状のダイス部材を，前記ダイス胴本体の前記ダイス挿入孔に前記ダイス部材の前記ダイスを挿入した状態で巻き付け，前記ダイス部材の端同士を継ぐためのピンを利用して前記ダイス胴本体に前記ダイス部材を留めた構造に前記ダイス胴をしたことを特徴とする穿孔装置。
【請求項２】
前記ピン胴の上下位置を手動で調整するピン胴位置調整機構を備えたことを特徴とする，請求項１に記載した穿孔装置。
【発明の詳細な説明】
【技術分野】
【０００１】
本発明は，連続用紙やシート用紙などの用紙に穿孔加工を行う装置に関する。
【背景技術】
【０００２】
従来，連続用紙やシート用紙などの用紙に穿孔加工を行う際，雄型となるピンを植設したピン胴と，雌型となるダイスをピンの配置に合わせて植設したダイス胴を用い、ピン胴とダイス胴を噛み合わせて回転させることにより，様々なパターンを用紙に穿孔加工する。例えば，引用文献１では，連続用紙の左右にマージナル孔を穿孔加工する穿孔装置（マージナルパンチ装置）が開示されている。
【０００３】
ピン胴のピンとダイス胴のダイスは穿孔加工に用いることによって摩耗し，ピンとダイスのいずれか一つの摩耗が進むと穿孔加工不良が発生するため，穿孔装置では，定期的にピンとダイスを交換することが必要となる。
【０００４】
穿孔装置には，ピン胴とダイス胴を穿孔装置から取り外しできるタイプと，ピン胴とダイス胴を装置に固定するタイプがあるが，ピン胴とダイス胴を装置に固定するタイプの場合，ダイス胴はピン胴の下側に配置されることになるため，ダイス胴に植設したダイスの交換作業がしづらくなってしまっていた。
【０００５】
一般的なダイス胴は１つの金属の塊になっており、この金属の塊にダイスを差し込むための穴と、ダイスを固定するためのネジ穴が設けられ，ダイスを交換する際は、ダイスを固定しているネジを緩めてダイスをダイス胴から取り除く。ピン胴とダイス胴を装置に固定するタイプの場合，ダイス胴がピン胴の下側に配置される都合上，作業スペースが限られるため、ダイスの交換作業は，穿孔装置を手動で動かしながらの作業となり、多大な手間と危険を伴う作業となってしまう。
【０００６】
ダイスを容易に交換できるダイス胴もすでに開示されており，例えば，特許文献２では，ダイス（ダイホール）が多数植設（穿設）してある半円筒形状ホールシェルを多数のビスによって着脱自在に装備した構造のダイス胴が開示されている。
【０００７】
しかし，従来のダイス胴の場合であっても，引用文献２のようなダイス胴であっても，ダイスをネジでダイス胴に取り付ける構造にすると，一つのネジ穴が潰れると、ダイス胴そのものの交換が必要となり、多大なコストがかかってしまう。
【先行技術文献】
【特許文献】
【０００８】
【特許文献１】実開昭６４−５００９５号公報
【特許文献２】実開平５−５６３９５号公報
【発明の概要】
【発明が解決しようとする課題】
【０００９】
そこで，本発明は，ダイスの交換作業を容易に行うことができ，かつ，ダイスの取り付けにネジを用いない穿孔装置を提供することを目的とする。
【課題を解決するための手段】
【００１０】
上述した課題を解決する第１の発明は，雄型となるピンを有するピン胴と，雌型となるダイスを有するダイス胴を用いて穿孔加工を行う装置であって、前記ダイスを挿入するダイス挿入孔を複数有する筒の両側に円板を付けた形状のダイス胴本体に，前記ダイスを有する内リンクと外リンクが連結しているチェーン形状のダイス部材を，前記ダイス胴本体の前記ダイス挿入孔に前記ダイス部材の前記ダイスを挿入した状態で巻き付け，前記ダイス部材の端同士を継ぐためのピンを利用して前記ダイス胴本体に前記ダイス部材を留めた構造に前記ダイス胴をしたことを特徴とする穿孔装置である。このように構成することで，前記ダイスの交換作業は，前記ダイス胴本体の前記ダイス挿入孔に前記ダイス部材の前記ダイスを挿入した状態で前記ダイス部材を前記ダイス胴本体に巻き付け，前記ダイス部材の端を前記ピンで継ぐだけの作業になるため，前記ダイスの交換作業を容易にできるし，また，前記ダイスの取り付けにネジを用いることはなくなる。
【００１１】
更に，第２の発明は，第１の発明に記載した穿孔装置において，前記ピン胴の上下位置を手動で調整するピン胴位置調整機構を備えたことを特徴とする。 前記ピン胴の上下位置を手動で調整する前記ピン胴位置調整機構を前記穿孔装置が備えることで，作業スペースが広がり，穿孔装置ダイスの交換作業を容易に行うことができるようになる。
【発明の効果】
【００１２】
このように，上述した本発明によれば，ダイスの交換作業を容易に行うことができ，かつ，ダイスの取り付けにネジを用いない穿孔装置を提供できる。
【図面の簡単な説明】
【００１３】
【図１】穿孔装置の構造を説明する図。
【図２】ピン胴位置調整機構を説明する図。
【図３】ダイス胴を説明する図。
【図４】ダイス胴本体とダイス部材を説明する図。
【図５】ダイス胴本体にダイス部材を留める内容を説明する図。
【発明を実施するための形態】
【００１４】
ここから，本発明の好適な実施形態を記載する。なお，以下の記載は本発明の範囲を束縛するものでなく，理解を助けるために記述するものである。
【００１５】
図１は，本実施形態に係る穿孔装置１の構造を説明する図である。図１に図示したように，本実施形態に係る穿孔装置１は，連続紙やシート紙などの用紙の両側にマージナル孔を穿孔加工する装置で，上側に配置するピン胴２と下側に配置するダイス胴３の対が左右に設けられている。上側になるピン胴２の周面には所定のピッチでピン２０が植設され，下側になるダイス胴３には，ピン胴２に植設するピン２０のピッチに合わせたダイス３１１ａが取り外し可能な状態で周状に取り付けられている。上側に配置するピン胴２の回転軸１ａと下側に配置するダイス胴３の回転軸１ｂは，複数のギヤ４ａ〜ｄで構成されるギヤ群４で連結し，駆動シャフト１ｄによりダイス胴３の回転軸１ｂが回転することでピン胴２の回転軸１ａも回転する構造になっている。
【００１６】
図２は，本実施形態に係る穿孔装置１が備えるピン胴位置調整機構１０を説明する図である。本実施形態に係る穿孔装置１は，ダイス交換時の作業スペースが広がるように，ピン胴２の上下位置を調節可能にするための機構であるピン胴位置調整機構１０を備える。
【００１７】
ピン胴２の上下位置を調節可能にするための機構は様々考えられるが，本実施形態において，ピン胴位置調整機構１０の構造は，図２（ａ）に図示したように，ピン胴２の回転軸１ａを可動フレーム１０ａに回転自在に装着し，ネジ１０ｂを介して可動フレーム１０ａを上部フレーム１ｃに装着する構造になっている。このような構造のピン胴位置調整機構１０によれば，図２（ｂ）に図示したように，ネジ１０ｂを回すことで可動フレーム１０ａの上下位置を調節でき，ダイス交換する際，ネジ１０ｂを回して可動フレーム１０ａを上方向に移動させ，ダイス交換時の作業スペースを広げることができる。また，穿孔加工する際，ネジ１０ｂを回して可動フレーム１０ａを下方向に移動させ，ギヤ群４のギヤ４ａとギヤ４ｂを噛み合わせることができるようになる。なお，図２では，穿孔装置１のギヤ側のみを図示しているが，穿孔装置１の操作側も同様な構造になっている。
【００１８】
図３は，本実施形態に係るダイス胴３を説明する図である。本実施形態に係るダイス胴３は，ダイス３１１ａが周状に設けられたチェーン状のダイス部材３１を円筒状のダイス胴本体３０に巻き付け，ダイス胴本体３０とダイス部材３１をピン３２で留めた形態になっている。
【００１９】
図４は，ダイス胴本体３０とダイス部材３１を説明する図である。図４（ａ）は，ダイス胴３のダイス胴本体３０を説明する図である。図４（ａ）に図示したように，ダイス胴本体３０は，ダイス３１１ａを挿入するダイス挿入孔３０１を所定のピッチで設けた筒３００の両側に円板３０２をつけ，この円板３０２に，ピン３２を挿入するピン孔３０３を加工している。
【００２０】
図４（ｂ）は，ダイス胴３のダイス部材３１を説明する図である。図４（ｂ）に図示したように，ダイス部材３１は，外リンク３１０と内リンク３１１を交互に組合せて連結したチェーン構造になっている。内リンク３１１には，ダイス胴本体３０のダイス挿入孔３０1に挿入するダイス３１１ａが設けられ，内リンク３１１は，ダイス胴本体３０の筒３００に合わせた略円弧状になっている。
【００２１】
図４（ｃ）は，ダイス部材３１をダイス胴本体３０に巻き付けた状態を説明する図である。ダイス部材３１は，内リンク３１１に設けられたダイス３１１ａをダイス胴本体３０のダイス挿入孔３０１に挿入した状態で，ダイス胴本体３０に巻き付けられる。
【００２２】
図５は，ダイス胴本体３０にダイス部材３１を留める内容を説明する図である。図５（ａ）は，ダイス部材３１を留める内容を説明する図である。本実施形態のダイス胴３では，ネジを使用することなくダイス部材３１をダイス胴本体３０に留めることができるように，ダイス部材３１の端とダイス部材３１の継手リンク３１２を継ぐピン３２を利用してダイス胴本体３０にダイス部材３１を留めるように構成されている。具体的には，ダイス部材３１の継手リンク３１２と，継手リンク３１２の反対側になるダイス部材３１の端を重ね合わせ，円板３０２に加工したピン孔３０３からピン３２を挿入して留めることで，チェーン状のダイス部材３１をダイス胴本体３０に留めている。
【００２３】
図５（ｂ）は，ピン３２を説明する図である。ピン３２の片側には，ピン３２の抜け防止に用いる短い円周状の溝３２０が加工され，この反対側には，ピン３２の抜け防止に用いる割りピン孔３２１が加工されている。図５（ｃ）は，円周状の溝３２０を利用するピン３２の抜け防止策を説明するである。本実施形態において，円周状の溝３２０にはＣ型止め輪３２２が入れられることでピン３２の抜けを防止している。図５（ｄ）は，割りピン孔３２１を利用するピン３２の抜け防止策を説明する図である。本実施形態において，ピン３２に加工された割りピン孔３２１には割りピン３２３が入れられることでピン３２の抜けを防止している。
【符号の説明】
【００２４】
１    穿孔装置
１０  ピン胴位置調整機構
１０ａ  可動フレーム
１０ｂ  ネジ
２    ピン胴
２０  ピン
３    ダイス胴
３０  ダイス胴本体
３００  筒
３０１  ダイス挿入孔
３０２  円板
３１  ダイス部材
３１０    外リンク
３１１    内リンク
３１１ａ  ダイス
３２  ピン
【図１】
2015205377.tif 000003
【図２】
2015205377.tif 000004
【図３】
2015205377.tif 000005
【図４】
2015205377.tif 000006
【図５】
2015205377.tif 000007